(57)【要約】【課題】本発明は搬送性が高く、設置が容易なＸ線撮影装置を提供する。【解決手段】Ｘ線撮影装置１０１は、Ｘ線源１０２と、Ｘ線源１０２を収容する略直方体形状の収容部１０３と、収容部１０３の底部に設けられた車輪１０４と、収容部１０３の側面の一に設けられた支柱部１０５と、支柱部１０５に略直交に設けられた把持部１０６と、を有する。把持部１０６は伸縮可能であってその先端部近傍にＸ線源１０２が取付け可能であり、Ｘ線源１０２の取付け時に収容部１０３の転倒を防止する転倒防止部１０７を具える。【選択図】図１
2014138645.tif 000002
【特許請求の範囲】
【請求項１】
Ｘ線源と、
前記Ｘ線源を収容する略直方体形状の収容部と、
前記収容部の底部に設けられた車輪と、
前記収容部の側面の一に設けられた支柱部と、
前記支柱部に略直交に設けられた把持部と、を有するＸ線撮影装置であって、
前記把持部は伸縮可能であってその先端部近傍に前記Ｘ線源が取付け可能であり、前記Ｘ線源の取付け時に前記収容部の転倒を防止する転倒防止部を具えることを特徴とするＸ線撮影装置。
【請求項２】
前記転倒防止部は、前記収容部の蓋を兼ねることを特徴とする請求項１に記載のＸ線撮影装置。
【請求項３】
曝射制御部を具え、前記転倒防止部が所定の位置にないときは前記Ｘ線源から曝射しないように曝射制御することを特徴とする請求項２に記載のＸ線撮影装置。
【請求項４】
前記転倒防止部は、Ｘ線検出センサ設置指標を有することを特徴とする請求項１〜３のいずれか１項に記載のＸ線撮影装置。
【請求項５】
前記Ｘ線源は、複数のＸ線焦点を有するマルチＸ線源であることを特徴とする請求項４に記載のＸ線撮影装置。
【発明の詳細な説明】
【技術分野】
【０００１】
本発明は、典型的には医療診断等を目的とし、搬送性を有するＸ線撮影装置に関するものである。
【背景技術】
【０００２】
近年、医療診断等を目的とするＸ線撮影は、Ｘ線源を備えるＸ線撮影装置を小型・軽量化して搬送性を高め、救急や災害現場等で利用されるようになっている。
特許文献１ではＸ線検出センサ又はＸ線源の少なくとも一方を収容可能な収容部と充電手段とを備える持ち運び可能な収容ケースと、Ｘ線源の把持部を組み立てられたアングル（保持具）の引掛け部に引っ掛けてＸ線照射する装置システムが開示されている。
また、特許文献２ではＸ線管球を変位可能に取り付けた走行体に、補助支持体がＸ線管球に連動して変位可能に設けられ、バランスの崩れによる装置の転倒を防止した移動型Ｘ線装置が開示されている。
【先行技術文献】
【特許文献】
【０００３】
【特許文献１】特開２０１１−２２９６６４号公報
【特許文献２】特開平１０−０９９３１２号公報
【発明の概要】
【発明が解決しようとする課題】
【０００４】
しかしながら、特許文献１に開示されるようなＸ線撮影装置では、Ｘ線撮影の際に保持具を組み立てて設置しなければならず手間や時間を要する。また、Ｘ線撮影装置と保持具とが別体であるため、搬送性に課題がある。
また特許文献２に開示されるようなＸ線撮影装置は走行体であるため、やはり搬送性に課題がある。
【０００５】
上記の課題に鑑み、本発明は搬送性が高く、設置が容易なＸ線撮影装置を提供することを目的とする。
【課題を解決するための手段】
【０００６】
本発明のＸ線撮影装置は、Ｘ線源と、前記Ｘ線源を収容する略直方体形状の収容部と、前記収容部の底部に設けられた車輪と、前記収容部の側面の一に設けられた支柱部と、
前記支柱部に略直交に設けられた把持部と、を有するＸ線撮影装置であって、前記把持部は伸縮可能であってその先端部近傍に前記Ｘ線源が取付け可能であり、前記Ｘ線源の取付け時に前記収容部の転倒を防止する転倒防止部を具えることを特徴とする。
【０００７】
また、本発明のＸ線撮影装置において、前記転倒防止部は、前記収容部の蓋を兼ねることを特徴とする。
また、本発明のＸ線撮影装置において、曝射制御部を具え、前記転倒防止部が所定の位置にないときは前記Ｘ線源から曝射しないように曝射制御することを特徴とする。
また、本発明のＸ線撮影装置において、前記転倒防止部は、Ｘ線検出センサ設置指標を有することを特徴とする。
また、本発明のＸ線撮影装置において、前記Ｘ線源は、複数のＸ線焦点を有するマルチＸ線源であることを特徴とする。
【発明の効果】
【０００８】
本発明によれば、搬送性が高く、設置が容易なＸ線撮影装置を提供することが可能となる。
【図面の簡単な説明】
【０００９】
【図１】本発明の第１の実施形態に係るＸ線撮影装置の概略構成図である。
【図２】本発明の第１の実施形態に係るＸ線撮影装置の搬送時の形態を示す図である。
【図３】本発明の第２の実施形態に係るＸ線撮影装置の転倒防止部を開いている途中の状態を表す図である。
【図４】本発明の第４の実施形態に係るＸ線撮影装置のＸ線検出センサ設置時の状態を表す図である。
【発明を実施するための形態】
【００１０】
以下、図面に基づき本発明によるＸ線撮影装置における好適な実施の形態を説明する。
（第１の実施形態）
図１を参照して、第１の実施形態に係るＸ線撮影装置の概略構成を説明する。Ｘ線撮影装置１０１は、Ｘ線源１０２、略直方体形状の収容部１０３、車輪１０４、支柱部１０５、把持部１０６及び転倒防止部１０７より成る。
Ｘ線源１０２は、医用診断のためのＸ線を生成し、被写体Ｐへ照射する。Ｘ線源には一般的に、高温度に加熱したフィラメントから放出される熱電子をバルクの金属から成るＸ線ターゲットに照射することによって電子線の入射側にＸ線を発生させるＸ線管球等が用いられる。被写体Ｐを透過したＸ線は、Ｘ線源に対向して設置されたＸ線検出センサ（不図示）により検出されて電気信号として出力され、この電気信号が画像処理されて、所謂Ｘ線画像が得られる。
【００１１】
収容部１０３は搬送時等、Ｘ線撮影を行わないときにＸ線源１０２を収容するものであり、Ｘ線源１０２と併せてＸ線検出センサ、電源、制御装置、その他の機材を収容可能とすることもできる。
車輪１０４は収容部１０３の底部に設けられており、ユーザーがＸ線撮影装置１０１を曳行して搬送するときは接地・回転して、装置の搬送を容易にする。
支柱部１０５は、把持部１０６と収容部１０３を連結して、ユーザーがＸ線撮影装置１０１を曳行・搬送するときはユーザーの曳行する力が車輪１０４に伝達されるようにするものである。そして、Ｘ線撮影時はＸ線源１０２と被写体Ｐが適切に離間するようにＸ線源１０２に連結された把持部１０６を保持するものである。支柱部１０５は伸縮可能に構成されていてもよい。
把持部１０６は支柱部１０５に略直交に設けられ、ユーザーがＸ線撮影装置１０１を曳行・搬送するときはユーザーが把持するためのものである。また、把持部１０６はＸ線撮影時は先端部近傍にＸ線源１０２を取り付けて、被写体Ｐに向けてＸ線が照射されるように保持するためのものである。
【００１２】
転倒防止部１０７は、把持部１０６の先端部近傍にＸ線源１０２を取り付けたときのＸ線撮影装置１０１の転倒を防止するためのものである。Ｘ線撮影時、Ｘ線源１０２はＸ線を被写体に向けて照射するため、Ｘ線源１０２は収容部１０３の上方からせり出して取り付けられる。Ｘ線源１０２は数ｋｇから十数ｋｇの重量を有するため、Ｘ線撮影装置１０１全体の重心はＸ線源１０２の近傍に位置し、そのままではＸ線源１０２が取り付けられた側に転倒することとなる。転倒防止部１０７は収容部１０３の底部のＸ線源取付側に連結され、連結部から先端部にかけて、又は先端部近傍で接地してＸ線撮影装置１０１を支えるものであり、Ｘ線撮影装置１０１のＸ線源取付側への転倒を防止する。
【００１３】
図２は、第１の実施形態に係るＸ線撮影装置１０１がユーザーＭにより曳行・搬送されている状態を表わす図である。
図２において、ユーザーＭは把持部１０６を把持・牽引し、この力を支柱部１０５を介して収容部１０３に伝達し、接地している車輪１０４を回転させることによりＸ線撮影装置１０１を曳行する。
【００１４】
本実施形態によれば、ユーザーはＸ線撮影装置１０１を曳行して搬送することができる。また、Ｘ線撮影時は別体の保持具を要することなく、把持部の先端部近傍にＸ線源１０２を取り付けて使用することができるため、Ｘ線撮影装置１０１の搬送性及び設置容易性を向上させることが可能となる。
【００１５】
（第２の実施形態）
第２の実施形態では、本発明のＸ線撮影装置の転倒防止部が収容部の蓋を兼ねる例について説明する。
図３は、収容部１０３の側面の蓋として設けられていた転倒防止部１０７を開いている途中を表わした図である。
前述のようにＸ線源１０２はＸ線撮影時以外は収容部１０３に収容され、Ｘ線撮影時に収容部１０３から取り出して把持部１０６に取り付けるものである。また、Ｘ線撮影時には転倒防止部１０７は収容部１０３の底部から連結され、連結部から先端部にかけて、又は先端部近傍で接地している必要がある。
【００１６】
そこで、転倒防止部１０７を収容部１０３の蓋と兼ねることにより、Ｘ線源１０２を取り出すためにその蓋を開き、そのままその蓋を接地させて転倒防止に用いることが可能となる。即ち、本実施形態によれば、ユーザーはＸ線源１０２を取り出すため開いた蓋をそのままＸ線撮影装置１０１の転倒防止に用いることができるため、Ｘ線撮影装置１０１の搬送性及び設置容易性を向上させることが可能となる。
【００１７】
（第３の実施形態）
第３の実施形態では、本発明のＸ線撮影装置が更に曝射制御部を具え、転倒防止部が所定の位置にないときはＸ線源１０２から曝射しないように曝射制御する例について説明する。
前述のように転倒防止部１０７はＸ線撮影時には、収容部１０３の底部に連結して接地した位置にある。そこで転倒防止部１０７がこうした所定の位置にないときにＸ線源１０２から曝射しないように制御することは、Ｘ線撮影時以外の曝射を防止して不時の被曝リスクを軽減することとなる。
【００１８】
例えば転倒防止部１０７と収容部１０３を開閉可能に連結するヒンジ部に開閉センサを設ける。そして、該開閉センサが転倒防止部１０７が略９０°に開かれたときに、Ｘ線源１０２に対して電力供給可能となるように電源部とＸ線源１０２との導通を制御すれば、上記のような曝射制御が可能となる。なお、開閉センサの取り付け位置や曝射制御の方法はこの他にも様々考えられ、上記に限られない。
【００１９】
本実施形態によれば、Ｘ線撮影時以外の曝射を防止して不時の被曝リスクを軽減し、本発明のＸ線撮影装置１０１の安全性を向上させることが可能となる。
【００２０】
（第４の実施形態）
第４の実施形態では、本発明のＸ線撮影装置の転倒防止部がＸ線検出センサ設置指標を有している例について説明する。
Ｘ線撮影時、Ｘ線検出センサはＸ線源１０２に対向して設置されることが必要である。図１に明らかなように、このＸ線検出センサの設置位置は、転倒防止部１０７と略同一面上の極めて近い位置にある。
【００２１】
そこで、転倒防止部１０７にＸ線検出センサ設置指標を設けると、ユーザーはこの指標に基づいてＸ線検出センサをＸ線源１０２に対向する位置に設置することが可能となる。
図４は、第４実施形態に係るＸ線撮影装置のＸ線検出センサ設置時を表わした図である。図４において、１０８はＸ線検出センサ設置指標であり、ユーザーがＸ線検出センサ１０９をＸ線源（不図示）と対向する位置に設置するための目安となるものである。
本実施形態によれば、Ｘ線撮影装置１０１の設置容易性が更に向上する。
【００２２】
（第５の実施形態）
近年、第１の実施形態で説明したようなＸ線管球によるＸ線源の他に、電子源として冷陰極型マルチ電子源を使用するＸ線源が登場している。このようなマルチ電子源を使用するＸ線源は、一つ一つの電子源を小さく構成して平面状に配列するため、Ｘ線源全体としてフラット・軽量にすることが可能となる。
一方、マルチＸ線源は複数の焦点を持つため、被写体に照射されるＸ線の強度分布が一様となり難く、Ｘ線検出センサで検出したＸ線を光電変換した電気信号に対して、複数のＸ線焦点の位置に応じた強度補正を含む信号処理が必要となる。このためユーザーは、Ｘ線管球によるＸ線源を使用する場合に比して、特に厳密な位置にＸ線検出センサを設置することが求められる。
【００２３】
そこで、転倒防止部１０７がＸ線検出センサ設置指標を有することは、Ｘ線源としてマルチＸ線源を使用するＸ線撮影装置に特に好適である。
【００２４】
以上、説明したように本発明の各実施形態によるＸ線撮影装置によれば、搬送性及び設置容易性が向上する。
【符号の説明】
【００２５】
１０１  Ｘ線撮影装置、１０２  Ｘ線源、１０３  収容部、１０４  車輪、１０５  支柱部、１０６  把持部、１０７  転倒防止部。
【図１】
2014138645.tif 000003
【図２】
2014138645.tif 000004
【図３】
2014138645.tif 000005
【図４】
2014138645.tif 000006